(57)【要約】【課題】ユーザの入力映像信号の切り替えに応じて、適切なパラメータセットを読み出すことができ、良好な映像信号処理を実現する。【解決手段】予め、映像信号の種類に応じてパラメータセットを設定し、その映像信号の種類とパラメータセットを対応づけた設定テーブルをパラメータセット記憶部１８に記憶しておく。そして、ユーザの入力選択部２１における入力選択画面の操作に基づき、パラメータセット記憶部１８に記憶されている設定テーブルから、複数種類の映像信号の中から選択された映像信号とその映像信号に対応するパラメータセットの設定値を読み出すことで、入力映像切り替えとパラメータセットの切り替えを連動して行う。【選択図】図１
2009038604.tif 000002
【特許請求の範囲】
【請求項１】
複数の映像信号の入力が可能な映像信号入力部と、
前記映像信号ごとに対応して設定された複数のパラメータよりなるパラメータセットを記憶する記憶部と、
ユーザにより前記複数の映像信号の中から選択された映像信号に対応するパラメータセットの各パラメータを用いて、前記映像信号入力部に入力された映像信号に対し所定の処理を行う映像信号処理部と、
前記通信部を通じて前記映像信号処理部で処理された映像信号を電気通信回線へ出力する映像信号出力部と、
を備えることを特徴とする映像信号処理装置。
【請求項２】
前記記憶部に記憶されているパラメータセットの各パラメータの値を、前記映像信号処理部で使用される即値に変換して前記映像信号処理部に送る映像信号処理制御部を備える、
ことを特徴とする請求項１に記載の映像信号処理装置。
【請求項３】
前記映像信号処理制御部は、前記ユーザにより直接選択されたパラメータセットを前記記憶部より読み出し、前記映像信号処理部は、前記読み出されたパラメータセットの各パラメータを用いて前記映像信号入力部に入力された映像信号に対し所定の処理を行う、
ことを特徴とする請求項２に記載の映像信号処理装置。
【請求項４】
前記記憶部は、前記映像信号と所定のオート設定からなるパラメータセットを対応づけたオート設定テーブルを記憶しており、前記ユーザが、前記映像信号入力部に入力された映像信号に対する処理にオート設定を用いることを選択した場合、
前記映像信号処理制御部は、前記電気通信回線の伝送レートに基づいて前記オート設定テーブルから前記映像信号に対応するパラメータセットを選択し、
前記映像信号処理部は、前記オート設定テーブルから選択された前記映像信号に対応するパラメータセットに含まれるオート設定の内容を用いて前記映像信号入力部に入力された映像信号に対し所定の処理を行う、
ことを特徴とする請求項２に記載の映像信号処理装置。
【請求項５】
前記ユーザによる選択操作は、グラフィカル・ユーザ・インタフェースを利用して行われる、
ことを特徴とする請求項２に記載の映像信号処理装置。
【請求項６】
前記映像信号処理部で処理された映像信号による画像を、前記グラフィカル・ユーザ・インタフェースの前記パラメータ設定画面内に表示する、
ことを特徴とする請求項５に記載の映像信号処理装置。
【請求項７】
前記映像信号処理部は、前記映像信号入力部に入力された映像信号に対して少なくとも符号化処理を行う、
ことを特徴とする請求項２に記載の映像信号処理装置。
【請求項８】
前記映像信号処理部は、前記電気通信回線を通じて前記ユーザにより前記複数の映像信号の中から選択された映像信号に対応するパラメータセットの各パラメータを用いて、前記映像信号入力部に入力された映像信号に対し所定の処理を行う、
ことを特徴とする請求項２に記載の映像信号処理装置。
【発明の詳細な説明】
【技術分野】
【０００１】
本発明は、入力映像信号の種類別に所定のパラメータを用いて映像信号処理を行う映像信号処理装置に関する。
【背景技術】
【０００２】
従来、映像信号に対し前処理や圧縮符号化等の信号処理を行い、その映像信号に適した符号化出力を得ることのできる映像信号処理装置がある。上記映像信号処理装置は、例えば入力された映像信号に対して信号処理を行う際、適当なプリフィルタ設定値及びエンコーダ設定値等のパラメータを与えることで、所望の信号処理が施された出力映像信号を得ることができる。このような映像信号処理装置は、例えば電気通信回路を介して映像信号のやり取りを行うテレビ会議システム等に用いられている。
【０００３】
ところで、従来の映像信号処理装置では、上記のプリフィルタ設定値及びエンコーダ設定値等のパラメータは、ユーザ自身が設定できないか、あるいは設定できたとしても、システムとして１セットしか持てなかった。そのため、入力映像信号を切り替えるたびに、パラメータの設定を変更し直さなければ、良質な出力映像が得られない場合があった。特に、ＨＤＭＩ（High-Definition Multimedia Interface）コネクタを介した入力映像信号とコンポジット端子を介した入力映像信号といったような、ノイズレベルや解像度に大きく差がある映像が入力されるシステムでは、適切なプリフィルタ設定値及びエンコーダ設定値が大きく異なるので、それぞれの映像信号に合わせて設定を変更する必要がある。
【０００４】
そこで、入力された２種類の映像信号の種類に応じて、映像信号の圧縮符号化を行う際に使用するパラメータを切り替えることができる画像処理装置が提案されている（例えば、特許文献１参照）。
【０００５】
【特許文献１】特開２００６−２３７８４５号公報
【発明の開示】
【発明が解決しようとする課題】
【０００６】
しかしながら、特許文献１に記載された画像処理装置は、入力映像信号の種類に応じて符号量制御の処理を変更する構成となっているので、圧縮符号化を行う際の各パラメータを自由に決定できない。また、画像処理装置にかかる負荷及び設計上の制約から多数の異なる符号量制御の処理方式を持つことが困難であるため、２種類の入力映像信号間でしか映像処理の切り替えを行うことができなかった。
【０００７】
本発明は斯かる点に鑑みてなされたものであり、所定のパラメータに基づき入力映像信号の信号処理を行う場合、入力映像信号ごとに、ユーザが所望するパラメータ設定に基づいた信号処理が行われた映像信号が得られるようにすることを目的とする。
【課題を解決するための手段】
【０００８】
上記課題を解決するため、本発明は、複数の映像信号の入力が可能な映像信号入力部と、映像信号ごとに対応して設定された複数組のプリフィルタ設定値及びエンコーダ設定値（以下、「パラメータセット」という）を記憶する記憶部と、ユーザにより複数の映像信号の中から選択された映像信号に対応するパラメータセットの各パラメータを用いて、映像信号入力部に入力された映像信号に対し所定の処理を行う映像信号処理部と、通信部を通じて映像信号処理部で処理された映像信号を電気通信回線へ出力する映像信号出力部と、を備えることを特徴とする。
【０００９】
上記構成によれば、映像信号処理装置に入力される複数種類の映像信号とパラメータセットを対応づけて各パラメータセット内のパラメータを前もって設定することで、入力される映像信号の入力切り替えを行った時に、それと連動して適切なパラメータセットを呼び出すことができる。
【発明の効果】
【００１０】
本発明によれば、予め入力映像信号と対応するパラメータセットを設定しておくことで、入力映像信号ごとに、ユーザが所望するパラメータ設定に基づいた信号処理が行われた映像信号が得られる。
【発明を実施するための最良の形態】
【００１１】
以下、本発明における実施の形態の例について、図面を参照しながら説明する。本発明は、映像信号処理装置に入力された映像信号ごとに所定のパラメータを用いて信号処理を行い、その信号処理した映像信号を、例えば映像信号処理機能を持たない（勿論、持っていてもよい）外部の装置に供給するというものである。各実施の形態に係る映像信号処理装置としては、例えば、複数地点において、インターネット等の電気通信回線を介して映像、音声及びデータのやり取りを行う、テレビ会議システム等を適用することができる。映像信号処理装置は、少なくとも映像信号を処理する手段と通信手段を備えていればよく、その他、パーソナルコンピュータ、携帯電話端末及びゲーム機などに適用することもできる。
【００１２】
なお、以下に述べる実施の形態は、本発明の好適な具体例であるから、技術的に好ましい種々の限定が付されているが、本発明の範囲は、下記の説明において特に本発明を限定する旨の記載がない限り、これらの形態に限られるものではない。例えば、以下の説明で挙げる各パラメータの数値的条件は好適例に過ぎず、説明に用いた各図における寸法、形状及び配置関係も概略的なものである。
【００１３】
＜第１実施形態＞
以下、本発明の第１実施形態の例について、図１〜図１０を参照しながら説明する。本実施形態に係る映像信号処理装置は、ユーザによる入力映像信号の切り替えと連動して、選択された映像信号に適切なパラメータが読み出されて設定されるようにしたものである。
【００１４】
図１は、第１実施形態に係る映像信号処理装置を示すブロック図である。図１に示すように、本実施形態に係る映像信号処理装置１は、大きく分けて映像信号入力部２と、表示装置を利用したＧＵＩ（Graphical User Interface）４と、制御回路３から構成されている。また、映像信号処理装置１は、インターネット等の電気通信回線５を介してテレビ会議システム６と双方向の通信が可能である。
【００１５】
映像信号入力部２は、ＲＧＢ映像信号が入力されるＤＶＩ−Ｄコネクタ１１、ＨＤ（High Definition）映像信号が入力されるＨＤＭＩコネクタ１２及びコンポジット映像信号が入力されるＳ端子１３を備えている。各コネクタ及び端子それぞれに入力された映像信号は、制御回路３に供給される。ＲＧＢ映像信号は、一例としてコンピュータ用画面などに利用される。また、ＨＤ映像信号は、一例としてＨＤカメラなどで利用される。また、コンポジット映像信号は、一例としてＳＤ（Standard Definition）カメラなどで利用される。なお、本実施形態の映像信号入力部２は、ＤＶＩ−Ｄコネクタ１１、ＨＤＭＩコネクタ１２及びＳ端子１３の３種類の映像信号入力端子を備えているが、これら３種類の映像信号入力端子とは異なる種類の映像信号入力端子で代替されてもよいし、映像信号入力端子の数を増減させてもよい。
【００１６】
また、映像信号処理装置１の構成要素の一つである制御回路３について説明する。制御回路３は、映像入力Ｉ／Ｆ１４と、前処理部１５と、符号化部１６と、符号出力Ｉ／Ｆ１７と、パラメータセット記憶部１８と、前処理制御部１９と、符号化制御部２０と、復号部２４から構成してある。映像入力Ｉ／Ｆ１４は、特許請求の範囲に記載した映像信号入力部の一例である。また、前処理部１５、符号化部１６、前処理制御部１９及び符号化制御部２０はそれぞれ、特許請求の範囲に記載した映像信号処理部の構成要素である。また、符号出力Ｉ／Ｆ１７は、映像信号出力部の一例である。なお、制御回路３は、ＧＵＩ４を介して入力されるユーザの指示内容を分析して映像入力I／Ｆ１４及びパラメータセット記憶部１８に制御信号を供給したり、制御回路３の各部の動作を制御したりする、例えばＣＰＵ（Central Processing Unit）からなる図示しない制御部を備える。
【００１７】
また、映像入力Ｉ／Ｆ１４は、ＧＵＩ４の入力選択部２１で行われた所定の入力に基づき、映像信号入力部２より入力された複数の映像の中から１種類選択し、前処理部１５へ出力するものである。なお、入力選択部２１については、ＧＵＩ４の機能と併せて後述する。
【００１８】
また、前処理部１５は、映像信号に対し、ノイズリダクション等の前処理を行うものである。前処理に用いられる設定値をここではプリフィルタ設定値という。前処理部１５は、上記映像入力Ｉ／Ｆ１４から入力された映像信号に対し、前処理制御部１９から供給されたプリフィルタ設定値に基づいて、時間的ノイズリダクション及び空間的ノイズリダクションを実行し、ノイズリダクションされた映像信号を符号化部１６に出力する。なお、本実施形態では、前処理としてノイズリダクションを例に挙げたが、信号増幅や色補正等、種々の処理を行うようにしてもよい。
【００１９】
また、符号化部１６は、映像信号に対し、圧縮符号化処理を行うものである。符号化処理に用いられる設定値をここではエンコーダ設定値という。符号化部１６は、上記前処理部１５で前処理された映像信号に対し、符号化制御部２０から供給されたエンコーダ設定値に基づいて、圧縮符号化を実行し、圧縮符号化された映像を符号出力Ｉ／Ｆ１７及び復号部２４へ出力する。ここでの符号化処理としては、例えばテレビ会議システムで利用されているＨ．２６３等の規格のほか、ＭＰＥＧ（Moving Picture Experts Group）規格などを用いる。
【００２０】
また、符号出力Ｉ／Ｆ１７は、符号化部１６から入力された映像信号を映像信号処理装置１の外部へ出力する。図１の例では、符号出力Ｉ／Ｆ１７から出力された映像信号は、電気通信回線５を介してテレビ会議システム６に入力される。
【００２１】
また、復号部２４は、圧縮符号化された映像信号の復号を行うものである。この復号部２４は、符号化部１６より出力された映像信号の復号処理を行い、ＧＵＩ４のプレビュー画面２３に出力する。このプレビュー画面２３については後述する。
【００２２】
また、パラメータセット記憶部１８は、上記前処理及び上記圧縮符号化する際に使用するパラメータを映像信号の種類と対応づけて記憶している。一つの映像信号に対して複数のパラメータが設定される。これを「パラメータセット」という。パラメータセット記憶部１８は、このパラメータセットが複数組集まったもの（以下、「パラメータセット群」という）を予め記憶している。パラメータセット記憶部１８は、ユーザの入力選択部２１に対する命令に基づいて、パラメータセット記憶部１８から１組のパラメータセットを選択し、その１組のパラメータセットをプリフィルタ設定値に関連する部分とエンコーダ設定値に関連する部分に分けて、それぞれの設定値を前処理制御部１９及び符号化制御部２０に出力する。
【００２３】
また、前処理制御部１９及び符号化制御部２０は、パラメータセット記憶部１８から入力されるパラメータセット（ユーザがＧＵＩ４で設定した設定値）を各処理部が実際に処理を行える即値に変換し、それぞれ前処理部１５及び符号化部１７へ出力する。このとき、前処理制御部１９及び符号化制御部２０は、図示しないＲＡＭ（Random Access Memory）等の揮発メモリをワークエリアとして使用してＧＵＩ設定値から即値への変換を行うとともに、変換後の即値をＲＡＭに記憶する。このＧＵＩ設定値から即値への変換処理にはパラメータ変換テーブルが用いられるが、それについては後述する。
【００２４】
次に、映像信号処理装置１の構成要素の一つであるＧＵＩ４について説明する。ＧＵＩ４は、入力選択部２１及びプレビュー画面２３を備えている。ＧＵＩ４は、ユーザに対する情報の表示にグラフィックを用い、大半の基礎的な操作を例えばマウスなどのポインティングデバイス等によって行うことができる。このＧＵＩ４を用いた具体的な入力操作の例については、後述する。
【００２５】
また、ＧＵＩ４の入力選択部２１は、ユーザの入力操作に基づき、制御回路３の映像入力Ｉ／Ｆ１４に対し、複数種類の映像信号の中から１種類の映像信号を選択させる命令を発する。さらに、この入力選択部２１は、選択した映像信号に対応するパラメータセットを呼び出すようにパラメータセット記憶部１８に指令を出す。なお、本実施形態では、ＧＵＩ４による入力選択部２１を備えているが、この入力選択部２１は、例えば、複数種類の映像信号の中から入力選択が行える、映像信号処理装置３の本体に設けられた切り換えスイッチで代替してもよい。
【００２６】
また、ＧＵＩ４のプレビュー画面２３は、復号部２４で復号された映像信号による映像を表示する。ユーザはプレビュー画面２３に表示された映像を閲覧することにより、設定したパラメータによる映像の品質の確認、及び、選択した映像信号に対して設定したパラメータの良し悪しを判断することができる。
【００２７】
次に、本実施形態の映像信号処理装置１の動作について説明する。
【００２８】
まず、映像信号入力部２に任意の映像信号が供給され、映像入力Ｉ／Ｆ１４に当該映像信号が入力される。そして、映像入力Ｉ／Ｆ１４に入力された映像信号は、ユーザ操作に基づく入力選択部２１の指示によって、映像入力Ｉ／Ｆ１４から前処理部１５への入力が許可される。他方、複数種類の映像信号が映像信号入力部２の各コネクタ及び端子を介して映像入力Ｉ／Ｆ１４に入力された場合、映像入力Ｉ／Ｆ１４は、ユーザ操作に基づく入力選択部２１の指示に従い、いずれか１種類の映像信号のみ前処理部１５へ出力する。
【００２９】
前処理部１５に入力された映像信号は、前処理制御部１９から与えられる即値に基づき前処理が行われ、符号化部１６へ出力される。符号化部１６に入力された映像信号は、符号化制御部２０から与えられる即値に基づき、圧縮符号化される。前処理及び圧縮符号化がなされた映像信号は、符号出力Ｉ／Ｆ１７及び復号部２４へ出力される。
【００３０】
符号出力Ｉ／Ｆ１７へ出力された映像信号は、電気通信回線５を介してテレビ会議システム６に送信される。そして、テレビ会議システム６では、映像信号処理装置１から送信された映像信号を復号及び再生して図示しないモニタなどに表示する。このようにして、会議参加者は、テレビ会議システム６を用いて、映像信号処理装置１にて信号処理された状態の映像信号を再生した映像を閲覧することができる。
【００３１】
一方、符号化部１７から復号部２４へ出力された映像信号は、符号化部１６で用いられた符号化用パラメータに対応する復号用パラメータに基づき復号される。復号された映像信号は、図示しない表示装置にプレビュー画面２３として表示される。プレビュー画面２３に表示される映像と、映像信号処理装置１から送られてテレビ会議システム６で再生される映像は同じである。そのため、ユーザは、テレビ会議システム６側で再生される映像と同じ映像を確認しながら、入力映像信号の圧縮符号化が行える。
【００３２】
図２は、第１実施形態に係るＧＵＩによるパラメータセットの設定例を示す図である。図２に示すパラメータセット設定画面３０を用いることにより、ユーザが、パラメータセット記憶部１８に予め記憶させておくパラメータセット（パラメータセット群）を設定することができる。以下、図２を参照して、信号処理に用いられるパラメータセットの設定方法について詳細に説明する。
【００３３】
図２に示すように、パラメータセット設定画面３０は、パラメータセット設定フレーム３１とプレビューフレーム３４で構成される。
【００３４】
まず、パラメータセット設定フレーム３１について説明する。本実施形態では、パラメータセットは、前処理制御用のプリフィルタ設定値と符号化制御用のエンコーダ設定値で構成している。そのため、パラメータセット設定フレーム３１における設定項目は、プリフィルタ設定値を入力するプリフィルタ設定値入力フレーム３２とエンコーダ設定値を入力するエンコーダ設定値入力フレーム３３とに分けてある。
【００３５】
パラメータセット設定画面３０に示す設定方法の選択項目には、「詳細設定」と「オート（自動設定）」が用意してあり、ユーザが手動による詳細設定と自動設定を選択することができる。ユーザがパラメータセット内の各パラメータを手動で設定したい場合、「設定方法」の選択項目を「詳細設定」に設定する。図２に示した例では、パラメータセット設定フレーム３１として、「設定Ａ」、「設定Ｂ」、「設定Ｃ」及び「設定Ｄ」の４種類（４つのパラメータセット）があり、ユーザは４種類のパラメータセットを設定することができる。ただし、パラメータセット設定フレーム３１下方の「追加設定」ボタンあるいは「設定削除」ボタンを操作（クリック）することにより、パラメータセット設定フレーム３１の数を追加または削除することができる。なお、「設定方法」の選択項目が「オート」に設定されている場合の詳細な説明は、後述する。
【００３６】
ここで、パラメータセット設定フレーム３１内の前処理制御のためのプリフィルタ設定値入力フレーム３２について説明する。本実施形態のプリフィルタパラメータ設定３２では、プリフィルタ設定値、つまり、映像のノイズリダクション等の前処理に関連するパラメータの設定を行うことができる。本実施形態において設定できる項目としては、フレーム間ノイズリダクションのための「モーション・スムージング・フィルタ」、及びフレーム内ノイズリダクションのための「２次元平滑化フィルタ」がある。
【００３７】
フレーム間ノイズリダクションとは、入力映像を構成するあるフレームとその直前のフレームの比較を行い、フレーム間の対応する画素の変動量を時間的に平滑化する処理のことである。入力映像信号が、このようなフレーム間ノイズリダクション効果が得られるモーション・スムージング・フィルタを通ると、映像信号に含まれる時間的なランダムノイズが低減される。また、このモーション・スムージング・フィルタの効果として、各フレーム間の相関性が高まることで動きが滑らかに見えたり、符号化効率が改善したりする。
【００３８】
また、フレーム内ノイズリダクションとは、入力映像を構成する各フレームに対してフレーム内の画素間での変動量を平滑化する処理のことである。入力映像信号が、このようなフレーム内ノイズリダクション効果が得られる２次元平滑化フィルタを通ると、映像信号に含まれる空間的なランダムノイズが低減される。また、映像信号に含まれる高周波成分（細かい絵柄の部分）が少なくなるため、符号化効率が改善する。
【００３９】
本実施形態では、「モーション・スムージング・フィルタ」及び「２次元平滑化フィルタ」の設定項目として、例えば「オート」、「オフ」、「弱」、「中」、「強」がある。これらの設定項目は、フィルタを通る映像信号に対して行われるノイズリダクションの効果の強さを示している。
【００４０】
次に、パラメータセット設定フレーム３１内の符号化制御のためのエンコーダ設定値入力フレーム３３について説明する。エンコーダ設定値入力フレーム３２では、エンコーダ設定値、つまり映像を圧縮符号化する際に使用するパラメータの設定を行うことができる。本実施形態において設定できる項目としては、「フレームレート制御」及び「最大量子化パラメータ」がある。
【００４１】
「フレームレート制御」は、電気通信回線５などの外部に送信する映像のフレームレートの調整を行う項目である。本実施形態では、例えば「フレームレート制御」の設定項目としては、「オート」、「フレームレート優先」及び「帯域制限優先」がある。
【００４２】
また、「フレームレート制御」において、「フレームレート優先」または「帯域制限優先」と設定した場合の符号化処理例について説明する。前提として、例えば、テレビ会議システム６に送信する圧縮符号化された映像信号が、映像信号処理装置１内で設定された通信ビットレートを超える場合を考える。このとき、「帯域制限優先」が選択されていると、映像信号処理装置１は、符号化部１６による圧縮符号化を強制的に停止し、送信するビットレートが設定された通信ビットレートを超えないようにする。圧縮符号化を停止した後、一定時間が経ち、映像信号を送信可能な状態になれば圧縮符号化を再開する。ただし、その間の映像信号は送信されず、受信側での見かけのフレームレートは少なくなる。また、「フレームレート優先」が選択されている場合、設定されたフレームレートで映像信号を送信することを優先し、設定された通信ビットレートを超えることを許容する。帯域が少ないネットワークを使用しているときに「フレームレート優先」にした場合、設定された設定された通信ビットレートを超えたビットレートで映像信号を送信しようとして、パケットロスなどが発生することもある。
【００４３】
一方、「最大量子化パラメータ」とは、符号化制御に用いるエンコーダ設定値の一つで、画質に大きな影響を与えるパラメータである。本実施形態において、「最大量子化パラメータ」の設定値としては、例えば「オート」、「１」、「２」、「３」、「４」、「５」がある。この「１」、「２」、「３」、「４」及び「５」はＧＵＩ用の設定値である。つまり、符号化部１６が圧縮符号化処理を行う際、実際に使用する即値ではなく、この即値を表すインデックスとして機能する。なお、本実施形態では、このインデックスに使用する設定値が大きくなると即値も大きくなるという具合に設定してある。
【００４４】
例えば、最大量子化パラメータに小さな設定値（小さな即値）を設定すると、映像のブロックノイズが減少するなど１フレームごとの画質は向上するが、１フレーム当たりのデータ量は増加する。逆に量子化パラメータに大きな設定値（大きな即値）を設定すると、ブロックノイズが増えるなど画質が低下するが、１フレームあたりのデータ量は減少する。
【００４５】
次に、パラメータセット設定画面３０の構成要素の一つであるプレビュー設定フレーム３４について説明する。プレビュー設定フレーム３４は、圧縮符号化した映像信号を復号してプレビューするためのパラメータを設定するためのものであり、「入力映像」、「目標ビットレート」、「目標フレームレート」、「ＣＯＤＥＣ種類」の設定項目がある。また、このプレビュー設定フレーム３４内にはプレビュー画面２３が設けられている。パラメータセット設定フレーム３１で設定したパラメータセットに従い符号化部１６で符号化処理された映像信号に対し、復号部２４でその映像信号を復号し、復号した映像信号（再生映像）がプレビュー画面２３に表示される。
【００４６】
プレビュー設定フレーム３４内の「入力映像」は、プレビュー画面２３に表示する映像を選択する項目である。この入力映像の項目としては、映像入力部２に入力される映像信号に対応して、「コンピュータ画像（ＤＶＩ−Ｄコネクタ）」、「ＨＤカメラ（ＨＤＭＩコネクタ）」及び「ＳＤカメラ（Ｓ端子）」等が用意してある。ただし、この例に限られるものではない。
【００４７】
また、「目標ビットレート」は、圧縮符号化された映像信号を復号する際のビットレートを設定する項目である。この目標ビットレートの項目としては、例えば「５１２ｋｂｐｓ」、「２Ｍｂｐｓ」、「４Ｍｂｐｓ」、「６Ｍｂｐｓ」、「８Ｍｂｐｓ」及び「その他」がある。「その他」を選択した場合、ユーザが数値を直接入力して自由に目標ビットレートを設定できる。
【００４８】
また、「目標フレームレート」は、圧縮符号化された映像信号を復号する際のフレームレートを設定する項目である。この目標フレームレートの項目としては、例えば「オート」、「６０ｆｐｓ」、「３０ｆｐｓ」、「１５ｆｐｓ」及び「７．５ｆｐｓ」がある。
【００４９】
また、「ＣＯＤＥＣ種類」（コーデック）は、映像信号を圧縮符号化及び圧縮符号化された映像信号を復号する際に使用する規格である。本実施形態において、ＣＯＤＥＣ種類の項目としては、例えば「Ｈ．２６３」、「Ｈ．２６４」、「Ｈ．２６１」、「ＭＰＥＧ４」がある。
【００５０】
このように、プレビュー画面２３に、パラメータ設定フレーム３１で設定した各パラメータに応じた再生映像を表示するようにしたので、ユーザは、この再生映像を見て、設定したパラメータもしくはオート設定時に用いられるパラメータの善し悪しを視覚的に確認することができる。
【００５１】
ここで、パラメータ変換テーブルについて説明する。上述したとおり、パラメータセット設定フレーム３１で設定した映像信号処理に関する各パラメータ（パラメータセット）の設定値は、ＧＵＩ用の設定値である。つまり、映像信号処理部が信号処理を行う際、実際に使用する即値ではない。実際は、前処理制御部１９及び符号化制御部２０はそれぞれ、図３（ａ）、（ｂ）、（ｃ）及び（ｄ）に示すパラメータ変換テーブルを参照し、ＧＵＩ設定値を即値に変換している。パラメータ変換テーブルは、図示しないＲＡＭまたはパラメータセット記憶部１８に記憶しておく。図３（ａ）、（ｂ）、（ｃ）及び（ｄ）はそれぞれ、詳細設定の場合の、「モーション・スムージング・フィルタ」、「２次元平滑化フィルタ」、「フレームレート制御」及び「最大量子化パラメータ」の設定値と即値の関係を表したパラメータ変換テーブルである。
【００５２】
図３（ａ）に示すように、「モーション・スムージング・フィルタ」で選択できるＧＵＩ用の設定値には、「オフ」、「弱」、「中」及び「強」があり、ピクセル単位で適用される。この設定値に対する即値として、例えば「しきい値」及び「輝度強調」の項目がある。「しきい値」は、「モーション・スムージング・フィルタ」を適用するか否かを判定するための値を示している。つまり、現在の画像フレームと、直前の画像フレームの同一位置のピクセルの輝度の差が、設定されたしきい値以下の場合は、その位置のピクセルに「モーション・スムージング・フィルタ」が適用され、しきい値以上の場合は、「モーション・スムージング・フィルタ」は適用されない。しきい値の値は、０−２５５の２５６段階（８ビット）で表される。一方、「輝度強調」は、ピクセルに「モーション・スムージング・フィルタ」が適用されるときの強度係数を示すものである。強度強調の値は、０−２５５の２５６段階（８ビット）で表される。例えば、本実施形態では、設定値「オフ」、「弱」、「中」、「強」に対し、しきい値「０」、「１９２」、「２４０」、「２４５」が、並びに輝度強調「０」、「６４」、「３２」、「３２」が対応する。
【００５３】
また、図３（ｂ）に示すように、「２次元平滑化フィルタ」で選択できるＧＵＩ用の設定値には、「オフ」、「弱」、「中」及び「強」があり、ピクセル単位で適用される。この設定値に対応する即値は、例えば「ビデオ入力スケーラＮＲ（Noise reduction）」であり、０−６３の６４段階（６ビット）で表される。例えば、本実施形態では、設定値「オフ」、「弱」、「中」、「強」に対し、即値は「０」、「２３」、「４７」、「６３」が対応する。
【００５４】
また、図３（ｃ）に示すように、「フレームレート制御」で選択できるＧＵＩ用の設定値には、「フレームレート優先」及び「帯域制限優先」がある。これに対する即値（ｂＦｒａｍｅＳｋｉｐＥｎａｂｌｅ）は、それぞれ「ＦＡＬＳＥ」及び「ＴＲＵＥ」である。
【００５５】
また、図３（ｄ）に示すように、「最大量子化パラメータ」で設定できるＧＵＩ用の設定値は、「１」、「２」、「３」、「４」及び「５」がある。この設定値に対応する即値は、例えば「ｍａｘＱｐ」であり、１２−５１の値で表される。しかし、本実施形態では、ＧＵＩ用の設定値「１」、「２」、「３」、「４」及び「５」に対し、即値は、「４３」、「４５」、「４７」及び「６３」が対応する。
【００５６】
パラメータセット設定画面３０（図２参照）において、設定値が「オート」でない場合、図３（ａ）、（ｂ）、（ｃ）及び（ｄ）の各パラメータ変換テーブルを引いて、前処理部１５及び符号化部１６における前処理及び符号化に使用する即値を得る。設定値が「オート」の場合、まず、後述するオート設定テーブル（図７参照）を参照する。そして、オート設定テーブル上のビットレートをインデックスとして各パラメータ変換テーブルを引いて、前処理部１５及び符号化部１６における前処理及び符号化に使用する即値を得る。なお、最大量子化パラメータの設定値がオートだった場合は例外で、オート設定テーブルから直接即値が得られるので、その後にこのパラメータ変換テーブルを参照する必要はない。
【００５７】
次に、図４のフローチャートを参照して、映像信号処理装置１によるパラメータセット設定処理例を説明する。
例えば、図２に示すパラメータセット設定画面３０のパラメータ設定フレーム３１において、ユーザが、例えば設定したいパラメータセットとして「設定Ａ」を選択する（ステップＳ１）。ここで、ユーザは、「設定Ａ」の各設定項目に対し、例えば、設定方法を「詳細設定」、モーション・スムージング・フィルタを「中」、２次元平滑化フィルタを「中」、フレームスキップ設定を「オフ」、量子化パラメータを「３」のように設定する。
【００５８】
各設定項目の設定を完了後、パラメータセット設定画面３０に示す「保存」ボタンをマウス等を用いてクリックすると、ステップＳ１の処理で設定したパラメータセット「設定Ａ」の設定内容が、図示しない制御部によりパラメータセット記憶部１８に記憶される（ステップＳ２）。
【００５９】
次に、現在選択されている入力映像信号に対応するパラメータセットの設定内容（パラメータ）をパラメータセット記憶部１８より読み出す（ステップＳ３）。ここで現在選択されている入力映像信号に対応するパラメータセットとは、映像信号入力部２に入力されている映像信号に応じてユーザが選択した入力映像信号に対応したものであるから、設定Ａとは限らない。
【００６０】
そして、ステップＳ３の処理で読み出したパラメータセット「設定Ａ」の設定内容（パラメータ）を、図示しない制御部によりプリフィルタ設定値（前処理制御用）とエンコーダ設定値（符号化制御用）に分解し、それぞれ、前処理制御部１９及び符号化制御部２０へ入力する。前処理制御部１９及び符号化制御部２０へ入力されたプリフィルタ設定値及びエンコーダ設定値は、即値に変換される。この即値は、前処理制御部１９及び符号化制御部２０自身に、あるいは前処理制御部１９及び符号化制御部２０が読み出し可能なＲＡＭに記憶される（ステップＳ４）。
【００６１】
これにより、前処理制御部１９及び符号化制御部２０が各々、パラメータ（即値）を前処理部１５及び符号化部１６へ供給し、前処理部１５及び符号化部１６が、入力された映像信号に対し各パラメータに基づいて所定の処理を行うことができる。
【００６２】
図５は、第１実施形態に係るＧＵＩを用いた入力映像別パラメータセットの選択例を示す図である。図５に示すＧＵＩでは、ユーザが、図２に示したパラメータセット設定画面３０で設定した複数のパラメータセット（設定Ａ，設定Ｂ，設定Ｃ，設定Ｄ）と複数種類の入力映像信号とを一対一に対応させることができる。例えば、入力別パラメータセット選択画面４０では、例えば、コンピュータ画像（ＤＶＩ−Ｄコネクタ）、ＨＤカメラ（ＨＤＭＩコネクタ）及びＳＤカメラ（Ｓ端子）からの入力映像信号に対し、対応させたいパラメータセットを選択できるようにしてある。ここで、ユーザが、映像信号の種類別に、対応させたいパラメータセットを選択すると、図示しない制御部によって映像信号とパラメータセットが対応づけられて、パラメータセット記憶部１８に記憶される。
【００６３】
図６のフローチャートを参照して、映像信号処理装置１による入力別パラメータセット選択処理例を説明する。なお、好ましくは、図４に示すパラメータセット設定処理が完了した状態において、この入力別パラメータ選択処理を行うようにする。
【００６４】
まず、入力別パラメータセット選択画面４０の設定項目において、ユーザが入力映像別にそれぞれのパラメータセットを選択する（ステップＳ１１）。例えば、入力別パラメータセット選択画面４０に示す「コンピュータ画像（ＤＶＩ−Ｄコネクタ）」、「ＨＤカメラ（ＨＤＭＩコネクタ）」及び「ＳＤカメラ（Ｓ端子）」に対して、それぞれ「設定Ａ」、「設定Ｂ」及び「設定Ｃ」と設定する。そして、入力別パラメータセット選択画面４０の「保存」ボタンを操作（クリック）することにより、ユーザが、入力別パラメータセット選択画面４０を利用して設定した内容は、パラメータセット記憶部１８に記憶される。以上のようなパラメータセット設定処理により、映像信号の種類とパラメータセットの関連付けが完了する。
【００６５】
次に、現在選択されている入力映像信号に対応するパラメータセットの設定内容（パラメータ）をパラメータセット記憶部１８より読み出す（ステップＳ１２）。ここで現在選択されている入力映像信号に対応するパラメータセットとは、映像信号入力部２に入力されている映像信号に応じてユーザが選択した入力映像信号に対応したものを指す。
【００６６】
そして、ステップＳ１２の処理で読み出したパラメータセットの設定内容（パラメータ）を、図示しない制御部によりプリフィルタ設定値（前処理制御用）とエンコーダ設定値（符号化制御用）に分解し、それぞれ、前処理制御部１９及び符号化制御部２０へ入力する。前処理制御部１９及び符号化制御部２０へ入力されたプリフィルタ設定値及びエンコーダ設定値は、即値に変換される。この即値は、前処理制御部１９及び符号化制御部２０自身に、あるいは前処理制御部１９及び符号化制御部２０が読み出し可能なＲＡＭに記憶される（ステップＳ１３）。
【００６７】
次に、図２に示したパラメータセット設定画面３０において、設定方法が「オート」に設定されている場合のパラメータセット設定について詳細な説明を行う。
【００６８】
図７は、本実施形態に係るオート設定の場合における、ＧＵＩを用いたパラメータセットの設定例を示す図である。ただし、図４に示すパラメータセット設定画面５０の画面構成は、図２に示すパラメータセット設定画面３０と同じであるので画面構成の詳細説明は省略する。パラメータセット画面５０に示す「設定方法」の項目を「オート」に設定すると、「入力映像」及び「目標ビットレート」以外の設定項目は自動的に「オート」に設定される。本実施形態では、前処理制御部１９及び符号化制御部２０が、各設定項目のパラメータを取得できるようにするため、「入力映像信号の種類」及び電気通信回線５の「回線ビットレート」をインデックスとして、各設定項目のパラメータが設定されたオート設定テーブルを用意する。
【００６９】
その一例として、図８（ａ）〜（ｃ）に示すような、電気通信回線５の「ビットレート」をインデックスにし、入力映像信号別に「モーション・スムージング・フィルタ」、「２次元平滑化フィルタ」、「フレームレート制御」及び「最大量子化パラメータ」のパラメータを含むオート設定テーブルを用意する。このテーブルは、パラメータセット記憶部１８に記憶させておく。オート設定の場合、図示しない制御部は、「入力映像信号の種類」に基づいて対応するオート設定テーブルを選択し、さらに電気通信回線５の「ビットレート」に基づいて、その選択したオート設定テーブルの中から適切なパラメータセットを取得する。なお、パラメータセット記憶部１８に上記オート設定テーブルを記憶する代わりに、上記オート設定テーブルを記憶させた記憶装置を映像信号処理装置１の外部に備えてもよい。
【００７０】
なお、図８（ａ）〜（ｃ）に示したビットレートは、入力映像信号が６０フレームレート（ｆｐｓ）で構成される場合の換算値であるから、例えばフレームレートが３０の場合には、それに対応して各設定値は適切な値が選択される。
【００７１】
次に、オート設定の場合における映像信号処理装置１の動作について具体例を用いて説明する。前提として、設定方法としてオート設定が選択されている状態において、現在入力されている映像信号の種類及び電気通信回線５の通信ビットレートが、例えば「コンピュータ画像（ＤＶＩ−Ｄコネクタ）」及び「８Ｍｂｐｓ」にそれぞれ設定されているとする。
【００７２】
制御部（図示略）は、上記「コンピュータ画像（ＤＶＩ−Ｄコネクタ）」の設定に基づいて、図８（ａ）に示すコンピュータ画像用のオート設定テーブルを選択する。さらに、「８Ｍｂｐｓ」の設定に基づいて、当該オート設定テーブルの右端に位置するパラメータセットを抽出する。この実施形態では、「モーション・スムージング・フィルタ」、「２次元平滑化フィルタ」、「フレームレート制御」及び「最大量子化パラメータ」は、それぞれ「オフ」、「オフ」、「帯域制限優先」及び「４７」としている。なお、本実施形態においては、設計の思想上、オート設定テーブルの最大量子化パラメータのみ、即値としている。
【００７３】
抽出されたパラメータセットの設定内容（パラメータ）は、図示しない制御部によりプリフィルタ設定値（前処理制御用）とエンコーダ設定値（符号化制御用）に分解され、それぞれ、前処理制御部１９及び符号化制御部２０へ入力される。前処理制御部１９及び符号化制御部２０へ入力されたプリフィルタ設定値及びエンコーダ設定値は、最大量子化パラメータを除いて即値に変換される。この即値は、前処理制御部１９及び符号化制御部２０自身に、あるいは前処理制御部１９及び符号化制御部２０が読み出し可能なＲＡＭに記憶される。
【００７４】
次に、図９及び図１０を参照して、入力選択に連動したパラメータセット選択処理例について説明する。
図９は、第１実施形態に係るＧＵＩとしての入力選択画面の例を示す図である。この図９に示した入力選択画面６０は、図１に示したＧＵＩ４の入力選択部２１に相当するものである。
【００７５】
本実施形態の入力選択画面６０では、コンピュータ画像（ＤＶＩ−Ｄコネクタ）、ＨＤカメラ（ＨＤＭＩコネクタ）及びＳＤカメラ（Ｓ端子）の各映像信号名の左側に設けられたチェックボックスをマウス等を用いてチェックすることにより、３種類の映像信号の中から１種類の映像信号を選択できるようにしてある。なお、映像信号の種類は、この３種類に限定されるものではなく、映像信号の種類を適宜増減させてもよい。
【００７６】
図１０のフローチャートを参照して、映像信号処理装置１による入力選択に連動したパラメータセット処理例を説明する。
【００７７】
まず、入力選択画面６０の設定項目において、入力映像信号の種類を選択する（ステップＳ２１）。例えば、図９に示した入力選択画面６０は、コンピュータ画像（ＤＶＩ−Ｄコネクタ）の項目が選択された例である。なお、好ましくは、図４に示すパラメータセット設定処理が完了した状態において、当該パラメータセット選択処理を行うようにする。
【００７８】
ステップＳ２１の処理後、図示しない制御部が入力選択画面６０から設定内容を受信し、例えば入力別パラメータセット選択画面４０（図５参照）においてコンピュータ画像（ＤＶＩ−Ｄコネクタ）と対応づけられているパラメータセット「設定Ａ」を選択する（ステップＳ２２）。
【００７９】
次に、制御部は、パラメータセット記憶部１８に記憶されているパラメータセットの中から、パラメータセット「設定Ａ」を読み出す（ステップＳ２３）。
【００８０】
そして、ステップＳ２３の処理で読み出したパラメータセット「設定Ａ」の設定内容（パラメータ）を、図示しない制御部によりプリフィルタ設定値（前処理制御用）とエンコーダ設定値（符号化制御用）に分解し、それぞれ、前処理制御部１９及び符号化制御部２０へ入力する。前処理制御部１９及び符号化制御部２０へ入力されたプリフィルタ設定値及びエンコーダ設定値は、即値に変換される。この即値は、前処理制御部１９及び符号化制御部２０自身に、あるいは前処理制御部１９及び符号化制御部２０が読み出し可能なＲＡＭに記憶される（ステップＳ２４）。
【００８１】
なお、何らかのパラメータセットが前処理制御部１９及び符号化制御部２０自身、あるいはＲＡＭに設定されている場合は、パラメータセット記憶部１８から新たに読み出したパラメータセットの設定内容で更新する。
【００８２】
これにより、前処理制御部１９及び符号化制御部２０が各々、設定Ａの各パラメータ（即値）を前処理部１５及び符号化部１６へ供給し、前処理部１５及び符号化部１６が、入力された映像信号に対し設定Ａのパラメータに基づいて所定の処理を行うことができる。この所定の処理が行われた映像信号が、映像信号処理装置１から電気通信回線５を介してテレビ会議システム６へ送られる。
【００８３】
上述した本実施形態によれば、入力映像信号（入力端子）別に、前処理制御用のパラメータ（プリフィルタ設定値）及び符号化制御用のパラメータ（エンコーダ設定値）を登録しておき、入力する映像信号の切り替えが行われたときに、対応する設定値をパラメータセット記憶部１８から読み込み設定する。これにより、ユーザが入力選択画面６０において、入力する映像信号の種類を切り替えた場合、映像信号の切り替えと連動して映像信号のパラメータセットも自動的に切り替わる。
【００８４】
このようにしたことにより、入力映像信号を切り替えたとき、その切り替えと連動してパラメータセットの切り替えを容易に行うことができ、入力映像信号を切り替える度に設定をし直す手間を削減できる。また、映像信号と対応づけるパラメータセットの設定内容を、映像信号の送信先であるテレビ会議システム６の処理性能・特性を考慮した設定内容とすることにより、テレビ会議システム６側の参加者が適切な再生映像の閲覧が行える。
【００８５】
＜第２実施形態＞
本発明の第２実施形態に係る映像信号処理装置について説明する。図１１に、第２実施形態に係る映像信号処理装置の構成例を示す。本実施形態の映像信号処理装置１００は、第１実施形態に係る映像信号処理装置１（図１参照）のＧＵＩ４に、パラメータセット選択部が設けられている。この図１１において、図１と対応する部分には同一符号を付してある。
【００８６】
映像信号処理装置１００は、大きく分けて映像信号入力部２と、ＧＵＩ４と、制御回路３から構成されている。映像信号入力部２は、ＲＧＢ映像信号が入力されるＤＶＩ−Ｄコネクタ１１、ＨＤ映像信号が入力されるＨＤＭＩコネクタ１２及びコンポジット映像信号が入力されるＳ端子１３を備えており、それぞれに入力された映像信号を制御回路３に供給する。また制御回路３は、映像入力Ｉ／Ｆ１４と、前処理部１５と、符号化部１６と、符号出力Ｉ／Ｆ１７と、パラメータセット記憶部１８と、前処理制御部１９と、符号化制御部２０と、復号部２４から構成してある。またＧＵＩ４として、入力選択部２１、パラメータセット選択部２２及びプレビュー画面２３等の画面が、表示装置に表示される。これらの各部の構成については、第１実施形態における構成と同一であるため、詳細な説明は省略する。
【００８７】
図１１に示すように、ＧＵＩ４を構成するパラメータセット選択部２２は、入力選択部２１と独立して設けてある。
このパラメータセット選択部２２は、入力映像信号の種類に関わらず、図示しない制御部に対して、予めパラメータセット記憶部１８に記憶しておいたパラメータセット群の中から、ユーザが選択したパラメータセットを読み出すよう命令を発する。その他、入力映像信号別のパラメータセットの設定方法やオート設定の場合の設定方法など、各パラメータの設定方法については映像信号処理装置１と同じである。
【００８８】
次に、図１２及び図１３を参照して、ユーザによるパラメータセット呼び出し処理例について説明する。
図１２は、第２実施形態に係るＧＵＩとしてのパラメータセット選択画面を示す図である。この図１２に示したパラメータセット選択画面７０は、図１１に示したＧＵＩ４のパラメータセット選択部２２に相当するものである。
【００８９】
本実施形態のパラメータセット選択画面７０は、パラメータセットという選択項目を有しており、ユーザが、予め設定しておいたパラメータセットの中から所望のパラメータセットを選択し、保存ボタンをクリックすることにより、選択したパラメータセットの種類をパラメータセット記憶部１８に保存することができる。本実施形態では、ユーザが、予めパラメータセット設定画面３０で設定してパラメータセット記憶部１８に記憶させた「設定Ａ」、「設定Ｂ」、「設定Ｃ」及び「設定Ｄ」（図２参照）の中から１種類を自由に読み出すことができる。
【００９０】
なお、プレビューボタンをクリックすると、図２に示すように、選択したパラメータセットに基づく信号処理がなされた映像が、パラメータセット設定画面３０内のプレビュー画面２３に表示される。
【００９１】
図１３のフローチャートを参照して、映像信号処理装置１００によるパラメータセット呼び出し処理例を説明する。このパラメータセット呼び出し処理により、入力された映像信号の種類に係らず、ユーザは、自由にパラメータセットを呼び出すことができる。
【００９２】
まず、ユーザは、パラメータセット選択画面７０を表示させ、プルダウン形式の設定項目から呼び出したいパラメータセットを選択する（ステップＳ３１）。図１２は、ユーザが、パラメータセット「設定Ａ」を選択した場合の例である。
【００９３】
次に、図示しない制御部は、ステップＳ３１の処理パラメータセット設定画面７０で「設定Ａ」が選択されたことを示す信号を受信し、パラメータセット記憶部１８に記憶されているパラメータセットの中から、パラメータセット「設定Ａ」を読み出す（ステップＳ３２）。
【００９４】
そして、ステップＳ３２の処理で読み出したパラメータセット「設定Ａ」の設定内容（パラメータ）を、図示しない制御部によりプリフィルタ設定値（前処理制御用）とエンコーダ設定値（符号化制御用）に分解し、それぞれ、前処理制御部１９及び符号化制御部２０へ入力する。前処理制御部１９及び符号化制御部２０へ入力されたプリフィルタ設定値及びエンコーダ設定値は、即値に変換される。この即値は、前処理制御部１９及び符号化制御部２０自身に、あるいは前処理制御部１９及び符号化制御部２０が読み出し可能なＲＡＭに記憶される（ステップＳ３３）。
【００９５】
なお、何らかのパラメータセットが前処理制御部１９及び符号化制御部２０自身、あるいはＲＡＭに設定されている場合は、パラメータセット記憶部１８から新たに読み出したパラメータセットの設定内容で更新する。
【００９６】
これにより、前処理制御部１９及び符号化制御部２０が各々、設定Ａの各パラメータ（即値）を前処理部１５及び符号化部１６へ供給し、前処理部１５及び符号化部１６が、入力された映像信号に対し設定Ａのパラメータに基づいて所定の処理を行うことができる。この所定の処理が行われた映像信号が、映像信号処理装置１００から電気通信回線５を介してテレビ会議システム６へ送られる。
【００９７】
上述した本実施形態によれば、入力される映像信号に係わらず、ユーザがパラメータセット選択画面７０を用いて選択したパラメータセットに対応する各設定値が、パラメータセット記憶部１８から読み出される。これにより、入力映像信号の種類にかかわらず、ユーザが、パラメータセットを自由に切り替えて、入力映像信号に対して所望の設定値による前処理及び符号化を行うことができる。その他、本実施形態は、第１実施形態と同様の作用効果を奏する。
【００９８】
＜第３実施形態＞
本発明の第３実施形態に係る映像信号処理装置について、図１４〜図１６を参照して説明する。
本実施形態は、ＧＵＩとして利用されるパラメータセット設定画面等を、上記第１実施形態におけるものと異なる形態としたものである。図１４〜図１６に示すＧＵＩとしての各設定画面を利用して所定の信号処理を行う映像信号処理装置には、図１及び図１１に記載した映像信号処理装置１、１００が使用できる。
【００９９】
図１４に、第３実施形態に係るＧＵＩによるパラメータセットの設定例を示す。本実施形態によるパラメータセット設定画面８０は、パラメータセット設定画面３０（図２参照：プレビュー機能を除く）と入力別パラメータセット選択画面４０（図５参照）の機能を併せ持つ。以下、パラメータセット設定画面８０について説明するが、その画面構成において、図２に示すパラメータセット設定画面３０のパラメータセット設定フレーム３１と共通する部分については、説明を省略する。
【０１００】
本実施形態のパラメータセット設定画面８０においては、入力別パラメータセット選択画面４０において入力映像信号に対応するパラメータセットを設定する機能に代えて、送信画質が設定できる「Ｐａｇｅ」の選択項目が設けてある。この送信画質設定の項目は、入力別パラメータセット選択画面４０の入力映像信号の種類に相当する。図１４は、ＨＤ映像信号の規格であるＨＤ−ＳＤＩが選択されている場合の例を示している。図１４の例では、「Ｐａｇｅ」を切り替えることにより、３種類の送信画質設定のすべてに対応したパラメータセットをそれぞれ設定することができる。このように、送信画質設定の選択操作とそれに対応する各パラメータの設定操作が一つの設定画面で行える。
【０１０１】
また、パラメータセット設定画面８０は、パラメータセットセット設定画面３０（図２参照）と同様に、「設定方法」、「モーション・スムージング・フィルタ」、「２次元平滑化フィルタ」、「フレームレート制御」及び「最大量子化パラメータ」の各選択項目が設けてある。送信画質設定と対応づけられたすべてのパラメータセット（設定値）は、第１実施形態と同様、パラメータセット記憶部１８に記憶される。各設定項目の設定操作は、パラメータセット設定画面３０における場合と同様に、プルダウンメニューを用いて行うようにしてあるが、この例に限るものではない。
【０１０２】
図１５は、第１実施形態に係るオート設定の場合における、ＧＵＩを用いたパラメータセットの設定例を示す図である。この図１５に示すパラメータセット設定画面９０の画面構成は、図１４に示すパラメータセット設定画面８０と同じであるので画面構成の詳細説明は省略する。パラメータセット画面９０に示す「設定方法」の項目を「オート」に設定すると、「モーション・スムージング・フィルタ」、「２次元平滑化フィルタ」、「フレームレート制御」及び「最大量子化パラメータ」の各選択項目は、自動的に「オート」が選択される。このような、オート設定の場合は、入力映像の選択項目と、電気通信回線５のビットレートをインデックスにし、図８に示す入力映像別パラメータオート設定テーブルから最適なパラメータセットを選択する。パラメータセットの選択方法については、既述のとおりであるから説明を割愛する。
【０１０３】
図１６は、第３実施形態に係るＧＵＩによる入力映像選択の例を示す図である。本実施形態の入力選択画面１１０は、第１実施形態の入力選択画面６０（図９参照）と同じように、複数の映像信号の中から所望の映像信号を選択できるようになっている。なお、入力選択画面１１０は、各映像信号をプルダウン表示して選択できるようにしてある。また、この入力選択画面１１０は、入力選択画面６０にもある入力映像信号を選択できる機能に加え、出力映像信号を選択できる機能を備えている。選択された出力映像信号に基づいて、選択された形式の映像信号が符号出力Ｉ／Ｆ１７から電気通信回線５に送信される。入力映像信号と出力映像信号の設定が同じ場合には、第１実施形態及び第２実施形態の場合と同じように、入力された映像信号と同じ映像信号が符号出力Ｉ／Ｆ１７から送信される。入力映像信号と出力映像信号の設定が違う場合には、入力された映像信号と符号出力Ｉ／Ｆ１７から送信される映像信号が異なる。
【０１０４】
ここで、入力選択画面１１０において、入力映像信号と出力映像信号の設定が異なる場合について説明する。例えば入力選択画面１１０において、入力映像信号にＨＤ映像信号の規格である「ＨＤ−ＳＤＩ」（HD-Serial Digital Interface）が選択され、出力映像信号にコンポジット映像信号の規格である「Ｓ−ＶＩＤＥＯ」が選択されているとする。これらの設定内容に対応するパラメータは、図示しない制御部によりパラメータセット記憶部１８に記憶してある。パラメータセット記憶部１８には、入力映像信号を出力映像信号に変換するためのテーブルが記憶されており、そのテーブルには入力映像信号と出力映像信号の組合せの数だけ、変換に必要な設定値が登録してある。この例では、「ＨＤ−ＳＤＩ」から「Ｓ−ＶＩＤＥＯ」への変換に必要な設定値がテーブルから読み出されて、前処理制御部１９を介して前処理部１５に供給される。
【０１０５】
前処理部１５は、前処理制御部１９から供給された設定値を用いて、入力映像信号「ＨＤ−ＳＤＩ」から出力映像信号「Ｓ−ＶＩＤＥＯ」への変換を行う。変換処理が終了すると、図１４を用いて設定した設定値に基づいて、変換後の映像信号に対する前処理及び符号化が行われて、電気通信回線５へ送信される。
【０１０６】
上述した本実施形態によれば、ＧＵＩ４の一例として説明したパラメータセット設定画面８０において、送信画質設定機能と、パラメータセット設定機能を一つの画面に集約したので、送信画質設定の選択操作とそれに対応する各パラメータ（パラメータセット）の設定操作が一つの設定画面で行える。よって、ユーザの操作性及び使い勝手が向上する。その他、本実施形態は、第１実施形態及び第２実施形態と同様の作用効果を奏する。
【０１０７】
＜第４実施形態＞
本発明の第４実施形態に係る映像信号処理装置について説明する。図１７に、第４実施形態に係る映像信号処理装置の構成例を示す。本実施形態による映像信号処理装置２００は、第１実施形態に係る映像信号処理装置１（図１参照）に外部装置とのデータの送受信が行えるＩ／Ｆ２０２を備え、電気通信回線５を介して接続された端末装置２０３からＷＥＢブラウザを用いて各パラメータの設定操作が行えるようにしたものである。この図１７において、図１と対応する部分には同一符号を付し、詳細な説明を省略する。なお、本実施形態では、端末装置２０３にＧＵＩ４（図１参照）又はＧＵＩ１０４（図１１参照）として機能するＷＥＢブラウザが備わっているが、端末装置２０３にＷＥＢブラウザを備える代わりに、テレビ会議システム６にＧＵＩ４又はＧＵＩ１０４として機能するＷＥＢブラウザを備えてもよい。
【０１０８】
端末装置２０３は、第１実施形態〜第３実施形態のＧＵＩ４又はＧＵＩ１０４と同様に、ユーザが設定した入力映像信号とその入力映像信号に対応するパラメータセットに関する処理を行い、その処理結果（設定内容）を含むデータを電気通信回線５を介してＩ／Ｆ２０２に送信する。そして、図示しない制御部の制御に基づいて、Ｉ／Ｆ２０２は、端末装置２０３から受信した設定内容を含むデータを、映像入力Ｉ／Ｆ１４及びパラメータセット記憶部１８に出力する。なお、ユーザが端末装置２０３を用いて行う、入力映像信号及びその入力映像に対応するパラメータセット等の設定操作方法については、既述の各実施形態におけるＧＵＩ４又はＧＵＩ１０４を用いて行う場合と同じであるので、詳細な説明を省略する。また同様に、映像入力Ｉ／Ｆ１４及びパラメータセット記憶部１８に入力された設定内容に基づいて行われる各部による処理も、既述の各実施形態と同じであるので、詳細な説明を省略する。
【０１０９】
上記のような端末装置２０３を実現するために、ＧＵＩ４又はＧＵＩ１０４と同様の機能を持ち、かつ電気通信回線５を介してデータの送受信ができる、アプリケーションを端末装置２０３にインストールする。このアプリケーションの一例としては、例えば、端末装置２０３上で動作するＷＥＢブラウザを利用することができ、ＷＥＢブラウザが第１実施形態〜第３実施形態において説明したような各設定画面を備える。
【０１１０】
図１８は、Ｗｅｂブラウザを利用したパラメータセット設定画面２１５の例である。このパラメータセット設定画面２１５は、例えば図１４に示したパラメータセット設定画面８０と詳細な画面構成は異なるが、同じように１つの画面で入力映像の設定とそれに対応する各パラメータ（パラメータセット）の設定操作が一つの設定画面で行える機能を備えている。
【０１１１】
上述した本実施形態によれば、端末装置２０３と映像信号処理装置２００を電気通信回線５を介して接続し、端末装置２０３にＧＵＩ４あるいはＧＵＩ１０４と同様の機能を持つＷＥＢブラウザを備えることにより、ユーザは、このＷＥＢブラウザを操作し、第１実施形態、第２実施形態及び第３実施形態における各映像信号処理装置の入力映像やパラメータセットの切り替え等に関する操作を遠隔地から操作することができる。これにより、ユーザが映像信号処理装置２００の近くにいなくても、ユーザの映像信号処理装置２００に対する入力映像の切り替えに連動して、適切な設定値を読み出して設定することができるので、適切な設置値による信号処理が行われるとともに、操作性及び使い勝手が向上する。その他、本実施形態は、第１実施形態と同様の作用効果を奏する。
【図面の簡単な説明】
【０１１２】
【図１】第１実施形態に係る映像信号処理装置の構成例を示すブロック図である。
【図２】第１実施形態に係るＧＵＩによるパラメータの設定例を示す図である。
【図３】詳細設定の場合のパラメータ変換テーブルの例を示す図である。
【図４】パラメータセット設定処理を示すシーケンスチャートである。
【図５】第１実施形態に係るＧＵＩによる入力映像別パラメータセットの選択例を示す図である。
【図６】入力別パラメータセット選択処理を示すシーケンスチャートである。
【図７】本発明の一実施形態に係るＧＵＩによるオートの場合のパラメータ設定例を示す図である。
【図８】入力映像別パラメータオート設定テーブルの例を示す図である。
【図９】本発明の一実施形態に係るＧＵＩによる入力映像選択の例を示す図である。
【図１０】入力設定に連動したパラメータセット処理を示すシーケンスチャートである。
【図１１】第２実施形態に係る映像信号処理装置の構成例を示すブロック図である。
【図１２】第２実施形態に係るＧＵＩによるパラメータセット呼び出し例を示す図である。
【図１３】パラメータセット呼び出し処理を示すシーケンスチャートである。
【図１４】第３実施形態に係るＧＵＩによるパラメータの設定例を示す図である。
【図１５】第３実施形態に係るＧＵＩによるオートの場合のパラメータ設定例を示す図である。
【図１６】第３実施形態に係るＧＵＩによる入力映像選択の例を示す図である。
【図１７】第４実施形態に係る映像信号処理装置の構成例を示すブロック図である。
【図１８】第４実施形態に係るＷＥＢページ上におけるパラメータの設定例を示す図である。
【符号の説明】
【０１１３】
１…映像信号処理装置、２…映像信号入力部、３…制御回路、４…ＧＵＩ、６…テレビ会議システム、１１…ＤＶＩ−Ｄコネクタ、１２…ＨＤＭＩコネクタ、１３…Ｓ端子、１４…映像入力Ｉ／Ｆ、１５…前処理部、１６…符号化部、１７…符号出力Ｉ／Ｆ、１８…パラメータセット記憶部、１９…前処理制御部、２０…符号化制御部、２１…入力選択部、２２…パラメータセット選択部、２３…プレビュー画面、２４…復号部、３０…パラメータセット設定画面、３１…パラメータセット設定フレーム、３２…プリフィルタ設定値入力フレーム、３３…エンコーダ設定値入力フレーム、３４…プレビュー設定フレーム、４０…入力別パラメータセット選択画面、５０…パラメータセット設定画面、６０…入力選択画面、７０…パラメータセット選択画面、８０…パラメータセット設定画面、９０…パラメータセット設定画面、１００…映像信号処理装置、１０４…ＧＵＩ、１１０…入力選択画面、２００…映像信号処理装置、２０１…制御回路、２０２…Ｉ／Ｆ、２０３…端末装置
【図１】
2009038604.tif 000003
【図２】
2009038604.tif 000004
【図３】
2009038604.tif 000005
【図４】
2009038604.tif 000006
【図５】
2009038604.tif 000007
【図６】
2009038604.tif 000008
【図７】
2009038604.tif 000009
【図８】
2009038604.tif 000010
【図９】
2009038604.tif 000011
【図１０】
2009038604.tif 000012
【図１１】
2009038604.tif 000013
【図１２】
2009038604.tif 000014
【図１３】
2009038604.tif 000015
【図１４】
2009038604.tif 000016
【図１５】
2009038604.tif 000017
【図１６】
2009038604.tif 000018
【図１７】
2009038604.tif 000019
【図１８】
2009038604.tif 000020